【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
マイクロ波オーブンに用いられるインタプリタ型装置であって、マイクロ波オーブンはコンピュータもしくはマイクロプロセッサによって制御されるものであり、またマイクロ波オーブンはコード化されたインストラクションであるインストラクションコードを受信するためのデータ入力メカニズムを有し、前記インストラクションコードはデータ入力メカニズムに対しユーザによりマニュアルで入力されもしくはデータ読み取り装置により読み取られて入力されるものにおいて、
(a) メモリを有するコントローラを有し、該コントローラはデータ入力メカニズムとマイクロ波オーブンのコンピュータもしくはマイクロコンピュータとの間に動作可能に設置されており、
(b) 前記メモリには複数のインストラクションコードが記憶されており、各インストラクションコードは所定のクッキングインストラクションを特定するものであり、少なくとも一つのクッキングインストラクションは電力及び時間に関する情報を含んでおり、前記メモリはまたマイクロ波オーブンの動作特性に関する情報を含んでおり、該動作特性は少なくともマイクロ波オーブンの電力定格に関する情報を含んでおり、
コントローラは(i)データ入力メカニズムからインストラクションコードを受け取り、(ii)インストラクションコードを用いてマイクロ波オーブンの調理インストラクションを特定し調理インストラクションをメモリから取り出して電力及び時間を決定し、(iii)メモリからマイクロ波オーブンの動作特性を取り出し、（iv）取り出したマイクロ波オーブンの動作特性に応じて取り出した調理インストラクションの電力及び時間をスケーリングし、(v)スケーリングされた調理インストラクションをマイクロ波オーブンのコンピュータもしくはマイクロプロセッサに送る、
インタープリタ型装置。
【請求項２】
化学的、物理的若しくは熱力学的なプロセス・ストリームに用いられるインタプリタ型装置であって、前記化学的、物理的若しくは熱力学的なプロセス・ストリームはコンピュータもしくはマイクロプロセッサによって制御されるものでありかつ、コード化されたインストラクションであるインストラクションコードを受信するためのデータ入力メカニズムを有し、前記インストラクションコードはデータ入力メカニズムに対しユーザによりマニュアルで入力されもしくはデータ読み取り装置により読み取られて入力されるものにおいて、
(a) メモリを有するコントローラを有し、該コントローラはデータ入力メカニズムと前記化学的、物理的若しくは熱力学的なプロセス・ストリームのコンピュータもしくはマイクロコンピュータとの間に動作可能に設置されており、
(b) 前記メモリには複数のインストラクションコードが記憶されており、各インストラクションコードは所定の調理インストラクションを特定するものであり、少なくとも一つの調理インストラクションは電力及び時間に関する情報を含んでおり、前記メモリはまた前記化学的、物理的若しくは熱力学的なプロセス・ストリームの動作特性に関する情報を含んでおり、該動作特性は少なくとも前記化学的、物理的若しくは熱力学的なプロセス・ストリームの電力定格に関する情報を含んでおり、
コントローラは(i)データ入力メカニズムからインストラクションコードを受け取り、(ii)インストラクションコードを用いて前記化学的、物理的若しくは熱力学的なプロセス・ストリームの調理インストラクションを特定し調理インストラクションをメモリから取り出して電力及び時間を決定し、(iii)メモリから前記化学的、物理的若しくは熱力学的なプロセス・ストリームの動作特性を取り出し、（iv）取り出した前記化学的、物理的若しくは熱力学的なプロセス・ストリームの動作特性に応じて取り出した調理インストラクションの電力及び時間をスケーリングし、(v)スケーリングされた調理インストラクションを前記化学的、物理的若しくは熱力学的なプロセス・ストリームのコンピュータもしくはマイクロプロセッサに与える、
インタープリタ型装置。
【請求項３】
コントローラはデータ入力メカニズムからスケーリングインストラクションを受け取るべく作動でき、該スケーリングインストラクションはユーザにより入力されるものであり、コントローラはまたユーザにより入力されたスケーリングインストラクションに従って電力及び期間をスケーリングする請求項１もしくは２に記載のインタプリタ型装置。
【請求項４】
コントローラはデータ入力メカニズムからスケーリングインストラクションを受け取るべく作動でき、該スケーリングインストラクションはユーザにより入力されるものであり、コントローラはまたユーザにより入力されたスケーリングインストラクションをメモリに記憶するべく作動できる請求項１もしくは２に記載のインタプリタ型装置。
【請求項５】
コントローラはメモリに記憶されているユーザにより入力されたスケーリングインストラクションに従って電力及び期間をスケーリングする請求項４に記載のインタプリタ型装置。
【請求項６】
マイクロ波オーブンの作動方法であって、マイクロ波オーブンはデータ入力メカニズムとマイクロ波オーブンを制御するためのコンピュータもしくはマイクロプロセッサを有するものにおいて、以下の段階を有する：
(a) コード化されたインストラクションであるインストラクションコードをデータ入力装置から受け取る段階、ここでインストラクションコードはデータ入力装置に対してユーザによりマニュアルで入力されもしくはデータ読み取り装置により読み取られて入力されるものである；
(b) インストラクションコードを用いてメモリに記憶された複数の調理インストラクションのうちのいずれかの調理インストラクションを特定する段階、ここで各インストラクションコードは所定の調理インストラクションを特定するものであり、少なくとも一つの調理インストラクションは電力及び時間に関する情報を含んでいる；
(c)メモリから前記特定された調理インストラクションを取り出して電力及び時間を決定する段階；
(d) メモリからマイクロ波オーブンの動作特性を取り出す段階、ここで動作特性は少なくともマイクロ波オーブンの電力定格に関する情報を含んでいる、
(e) 取り出したマイクロ波オーブンの動作特性に応じて取り出した調理インストラクションの電力及び時間をスケーリングする段階；及び
(f) スケーリングされた調理インストラクションをマイクロ波オーブンのコンピュータもしくはマイクロプロセッサに与える段階。
【請求項７】
化学的、物理的若しくは熱力学的なプロセス・ストリームの作動方法であって、化学的、物理的若しくは熱力学的なプロセス・ストリームはデータ入力メカニズムと化学的、物理的若しくは熱力学的なプロセス・ストリームを制御するためのコンピュータもしくはマイクロプロセッサを有するものにおいて、以下の段階を有する：
(a) コード化されたインストラクションであるインストラクションコードをデータ入力装置から受け取る段階、ここでインストラクションコードはデータ入力装置に対してユーザによりマニュアルで入力されもしくはデータ読み取り装置により読み取られて入力されるものである；
(b) インストラクションコードを用いてメモリに記憶された複数の調理インストラクションのうちのいずれかの調理インストラクションを特定する段階、ここで各インストラクションコードは所定の調理インストラクションを特定するものであり、少なくとも一つの調理インストラクションは電力及び時間に関する情報を含んでいる；
(c)メモリから前記特定された調理インストラクションを取り出して電力及び時間を決定する段階；
(d) メモリから化学的、物理的若しくは熱力学的なプロセス・ストリームの動作特性を取り出す段階、ここで動作特性は少なくとも化学的、物理的若しくは熱力学的なプロセス・ストリームの電力定格に関する情報を含んでいる；
(e) 取り出した化学的、物理的若しくは熱力学的なプロセス・ストリームの動作特性に応じて取り出した調理インストラクションの電力及び時間をスケーリングする段階；及び
(f) スケーリングされた調理インストラクションを化学的、物理的若しくは熱力学的なプロセス・ストリームに与える段階。
【請求項８】
ユーザにより入力されるスケーリングインストラクションをデータ入力メカニズムから受け取る段階と、ユーザにより入力されたスケーリングインストラクションに従って電力及び期間をスケーリングする段階とをさらに有する請求項６もしくは７に記載の方法。
【請求項９】
ユーザにより入力されるスケーリングインストラクションをデータ入力メカニズムから受け取る段階と、ユーザにより入力されたスケーリングインストラクションをメモリに記憶する段階とをさらに有する請求項６もしくは７に記載の方法。
【請求項１０】
メモリに記憶されているユーザにより入力されたスケーリングインストラクションに従って電力及び期間をスケーリングする段階をさらに有する請求項９に記載の方法。